(57)【要約】【課題】  異物による導通不良を防止することができるスイッチを提供する。【解決手段】  箱状のケーシング１と、ケーシング１の底面上に設けられる固定接点７ａ、７ｂ、８ａ、８ｂと、ケーシング１の底面に揺動自在に配置されて端部が固定接点７ａ、７ｂ、８ａ、８ｂの上面と接離自在な細板状の可動接点２０、２１とを有するスイッチにおいて、可動接点２０、２１は長手方向に揺動自在でかつ長手方向と略直交する方向に傾倒する自由度を有するようにケーシング１の底面に支持され、固定接点７ａ、７ｂ、８ａ、８ｂは上面に突起部１０を２つ有し、突起部１０、１０は可動接点２０、２１の長手方向と略直交する方向に並置されてなる。【選択図】  図１
2007059185.tif 000002
【特許請求の範囲】
【請求項１】
箱状のケーシングと、該ケーシングの底面上に設けられる固定接点と、上記ケーシングの底面に揺動自在に配置されて端部が上記固定接点の上面と接離自在な細板状の可動接点とを有するスイッチにおいて、
上記可動接点は長手方向に揺動自在でかつ長手方向と略直交する方向に傾倒する自由度を有するように上記ケーシングの底面に配置され、
上記固定接点は上面に突起部を２つ有し、該突起部は上記可動接点の長手方向と略直交する方向に並置されてなることを特徴とするスイッチ。
【請求項２】
上記ケーシングは内面に規制突起部を有すると共に、上記可動接点の側縁略中間部を上記ケーシングの上方から上記規制突起部に嵌合して当該可動接点をケーシングの底面で支持することによって、上記可動接点が長手方向に揺動自在でかつ長手方向と略直交する方向に傾倒する自由度を有することを特徴とする請求項１記載のスイッチ。
【請求項３】
上記固定接点の上面は略球面状に形成され、上記突起部は上記可動接点の長手方向に沿って連続状に形成されてなることを特徴とする請求項１または２記載のスイッチ。
【請求項４】
上記固定接点は２つの上記突起部間に上記可動接点の長手方向に沿って切り欠いた溝部を有してなることを特徴とする請求項１〜３のいずれか１項に記載のスイッチ。
【発明の詳細な説明】
【技術分野】
【０００１】
本発明は、可動接点を揺動させて固定接点に接触させるスイッチに関し、特に導通不良を防ぐことができるスイッチに関する。
【背景技術】
【０００２】
従来、可動接点を支点を中心に揺動させて、固定接点と可動接点間で接触動作あるいは接触の離脱動作を行う所謂シーソー式のスイッチは、大電流を流すことができるので、例えば自動車のパワーウィンドウのモータへの電源の投入及び遮断を行う電源スイッチ等に広く用いられている。このようなスイッチとしては、例えば特許文献１に挙げるようなものがある。
【特許文献１】特開平９−２７４８２８号公報
【発明の開示】
【発明が解決しようとする課題】
【０００３】
固定接点は表面を球面状とし、可動接点を揺動させることにより固定接点と可動接点は点接触して導通する。しかし、固定接点と可動接点の接触部分に異物が挟まった場合には、可動接点が固定接点に点接触することができず、導通不良の原因となる。
【０００４】
本発明は上記課題を鑑みてなされたものであり、異物による導通不良を防止することができるスイッチを提供することを目的とする。
【課題を解決するための手段】
【０００５】
上記課題を解決するため、本発明に係るスイッチは、箱状のケーシングと、該ケーシングの底面上に設けられる固定接点と、上記ケーシングの底面に揺動自在に配置されて端部が上記固定接点の上面と接離自在な細板状の可動接点とを有するスイッチにおいて、
上記可動接点は長手方向に揺動自在でかつ長手方向と略直交する方向に傾倒する自由度を有するように上記ケーシングの底面に配置され、
上記固定接点は上面に突起部を２つ有し、該突起部は上記可動接点の長手方向と略直交する方向に並置されてなることを特徴として構成されている。
【０００６】
また、本発明に係るスイッチは、上記ケーシングは内面に規制突起部を有すると共に、上記可動接点の側縁略中間部を上記ケーシングの上方から上記規制突起部に嵌合して当該可動接点をケーシングの底面で支持することによって、上記可動接点が長手方向に揺動自在でかつ長手方向と略直交する方向に傾倒する自由度を有することを特徴として構成されている。
【０００７】
さらに、本発明に係るスイッチは、上記固定接点の上面は略球面状に形成され、上記突起部は上記可動接点の長手方向に沿って連続状に形成されてなることを特徴として構成されている。
【０００８】
さらにまた、本発明に係るスイッチは、上記固定接点は２つの上記突起部間に上記可動接点の長手方向に沿って切り欠いた溝部を有してなることを特徴として構成されている。
【発明の効果】
【０００９】
本発明に係るスイッチによれば、可動接点は長手方向に揺動自在でかつ長手方向と略直交する方向に傾倒する自由度を有するようにケーシングの底面に支持され、固定接点の突起部は可動接点の長手方向と略直交する方向に並置されてなることにより、一方の突起部に異物が付着して可動接点との間に挟まった場合でも、可動接点が傾倒して他方の突起部と可動接点が接触するので、異物による導通不良を防ぐことができる。
【００１０】
また、本発明に係るスイッチによれば、ケーシングは内面に規制突起部を有すると共に、可動接点の側縁略中間部をケーシングの上方から規制突起部に嵌合して当該可動接点をケーシングの底面で支持することによって、可動接点が長手方向に揺動自在でかつ長手方向と略直交する方向に傾倒する自由度を有することにより、簡易な構成で長手方向に揺動自在な可動接点に長手方向と略直交する方向に傾倒する自由度を持たせることができる。
【００１１】
さらに、本発明に係るスイッチによれば、固定接点の上面は略球面状に形成され、突起部は可動接点の長手方向に沿って連続状に形成されてなることにより、可動接点と固定接点の接触位置が可動接点の長手方向にずれた場合にも確実に２点接触させることができる。
【００１２】
さらにまた、本発明に係るスイッチによれば、固定接点は２つの突起部間に可動接点の長手方向に沿って切り欠いた溝部を有してなることにより、両突起部間に異物がある場合でも、異物は溝部に落ちるので、固定接点と可動接点の接触を妨げない。
【発明を実施するための最良の形態】
【００１３】
本発明の実施形態について図面に沿って詳細に説明する。図１は本実施形態におけるスイッチの分解斜視図、図２は本実施形態におけるスイッチの断面図、図３は図２の操作部及び可動接点の一つを取り除いて示す平面図である。これら各図に示すように、本実施形態におけるスイッチは箱状のケーシング１と、ケーシング１の底面上に設けられる第１、第２の固定接点７ａ、７ｂ、８ａ、８ｂと、ケーシング１の底面に揺動自在に配置される第１、第２の可動接点２０、２１と、第１、第２の可動接点２０、２１の上部に配置されて第１、第２の可動接点２０、２１を揺動させる操作部２とから構成される。
【００１４】
図１に示すように、ケーシング１は箱状に形成されており、一対の外側面から上方に延長された側板１ａを有している。また、ケーシング１内は、図３に示すように第１及び第２の可動接点２０、２１がそれぞれ独立して収容される収容部２３を形成する壁部２２を有している。
【００１５】
図２に示すように、収容部２３には、第１の可動接点２０の略中間部を支持する中央支持板２５と、第１の可動接点２０の中央両側縁の切欠き部２０ａが嵌合される規制突起部２６と、第１の可動接点２０の揺動によりその両端部と接触する第１の固定接点７ａ、７ｂが配設されている。また、もう一つの収容部２３も上記収容部２３と同様の構成とするが、図３に示すように両中央支持板２５は逆向きに配置されている。したがって、図２の操作部２の状態では第２の可動接点２１は第２の固定接点８ｂに接触し、第２の固定接点８ａには接触していない。また、図３に示すようにケーシング１の側面には、第１、第２の固定接点７ａ、７ｂ、８ａ、８ｂの端子３２ａ、３２ｂ、３３ａ、３３ｂ及び中央支持板２５の端子２５ｂが導出されている。
【００１６】
第１の可動接点２０は、図２に示すように、金属等の導電性材料を略Ｍ字状に屈曲形成され、両端に第１の固定接点７ａ、７ｂに接離する接点部２０ｃを有している。また、第１の可動接点２０は、図１に示すように側縁略中間部に収容部２３内面に形成された規制突起部２６の形状に適合するように切欠き部２０ａが形成され、ケーシング１の上方から規制突起部２６に遊嵌合するように収容部２３内に挿入される。そして、第１の可動接点２０はその下面中央付近で中央支持板２５の立ち上がり部２５ａにより揺動自在に支持され、上面を後述する操作部２の駆動棒６により圧接される。このため、第１の可動接点２０は長手方向に揺動自在にケーシング１に保持している為、規制突起部２６と切欠き部２０ａの間には、多少の隙間があり、この為、長手方向と直交する方向に傾倒する自由度を有している。なお、第２の可動接点２１についても第１の可動接点２０と同様に形成される。
【００１７】
操作部２は第１、第２の可動接点２０、２１を揺動させるためのものであり、操作部２を操作することによってスイッチを切り替えることができる。操作部２の相対する側面には、その上部に支持軸３が略水平に突設され、支持軸３はケーシング１の側板１ａに形成された軸孔１ｂに回動自在に挿入されている。また、操作部２には収納孔３０が形成されており、収納孔３０にはそれぞれ弾性部材５を介して駆動棒６が収納孔３０に沿って上下移動自在に弾性保持されている。このため、操作部２を回動させると、駆動棒６が第１、第２の可動接点２０、２１の上面を圧接しながら摺動して可動接点２０、２１を揺動させ、第１、第２の固定接点７ａ、７ｂ、８ａ、８ｂとの接離の切り替えを行う。
【００１８】
第１、第２の固定接点７ａ、７ｂ、８ａ、８ｂはケーシング１の収容部２３に設けられ、上面に可動接点２０、２１の接点部２０ｃ、２１ｃが当接する。図４は本実施形態における固定接点と可動接点との接触について示したものである。なお、図４は第１の可動接点２０と第１の固定接点７ｂについて示している。
【００１９】
図４に示すように、第１の固定接点７ｂには第１の可動接点２０の接点部２０ｃが当接する上面を球面状とした接触部９が形成される。接触部９は上面に突起部１０を２つ有しており、第１の可動接点２０の長手方向と略直交する方向に並置されている。
【００２０】
突起部１０は接触部９の頂部を中心として略対称な位置に配置されると共に、第１の可動接点２０の長手方向に沿って円弧状の上面を有するよう連続状に形成されている。また、２列の突起部１０の間には断面略Ｖ字状の溝部１１が形成されている。
なお、円弧状の上面を有しているので第１の可動接点２０との接触を２点接触とすることが可能であり、異物が留まりにくい。
【００２１】
ここで、図４に示す突起部１０、１０及び溝部１１は実際には非常に小さいものであるが、本実施形態の説明の便宜上、誇張して図示した。
【００２２】
図４に示すように接触部９の上面に突起部１０を設けたことで、揺動されて下方に移動した第１の可動接点２０の接点部２０ｃと固定接点７ｂの接触部９は、突起部１０の２箇所で接触して導通する。また、操作部２の駆動棒６は、第１の可動接点２０の上面の略中間部分をなぞるように圧接しながら摺動するので、接点部２０ｃの下面から突起部１０に対して略同じ力がかかり、接点部２０ｃと固定接点７ｂとの接触がより確実になる。ここで、突起部１０を第１の可動接点２０の長手方向に沿って連続状に形成したことで、接点部２０ｃと接触部９の接触位置が第１の可動接点２０の長手方向にずれた場合でも確実に２点で接触することができる。
【００２３】
また、接点部２０ｃと固定接点７ｂの間に絶縁性の異物が混入した場合、異物が両突起部１０、１０間にあるときは溝部１１に落ち、異物が両突起部１０、１０の側方にあるときには当該異物は接触部９表面と突起部１０の隙間に有することになるので、導通不良を起こすことがない。
【００２４】
次に、絶縁性の異物が突起部１０の上部に付着し、可動接点２０の接点部２０ｃとの間に挟まってしまった場合について図５を用いて説明する。図５は２つの突起部１０、１０のうち左側の突起部１０に異物４０が付着した場合について示している。上述のように第１の可動接点２０は側縁略中間部を突出部２６に遊嵌合されると共に、底面略中間部を中央支持板２５で支持されているので、長手方向と略直交する方向に傾倒する自由度を有している。このため、図５に示すように、一方の突起部１０に異物が付着した場合でも、接点部２０ｃは長手方向と略直交する方向に傾き、もう一方の突起部１０に接触することができるので、異物の付着による導通不良を防ぐことができる。また、図５における右側の突起部１０に異物が付着した場合には、接点部２０ｃは逆方向に傾き、左側の突起部１０に接触する。なお、図５の状態で異物は安定しにくいので、どちらかに落ちて上述のように溝部１１に落ちる或いは両突起部１０、１０の側方に位置する状態となる。又異物がやわらかい場合には、切断され、該切断された異物は、溝部１１と突起部１０の側方に位置するので接点部２０は、定まった位置に形成された２つの突起部との間で２点接触が保たれる事となる。２点接触となる可能性が高いということは１点接触になる可能性が低くなり、そうなると非接触となる可能性も低くなり、よって確実に接触させることができる。
【００２５】
以上、本発明の実施形態について説明したが、本発明の適用はこれら実施形態には限られず、その技術的思想の範囲内において様々に適用されうるものである。
【図面の簡単な説明】
【００２６】
【図１】本実施形態におけるスイッチの分解斜視図である。
【図２】スイッチの断面図である。
【図３】図２の操作部及び可動接点の１つを取り除いて示す平面図である。
【図４】固定接点と可動接点の接触について示す拡大断面図である。
【図５】固定接点と可動接点の間に異物が混入した場合について示す拡大断面図である。
【符号の説明】
【００２７】
１    ケーシング
２    操作部
７    第１の固定接点
８    第２の固定接点
９    接触部
１０    突起部
１１    溝部
２０    第１の可動接点
２０ｃ  接点部
２１    第１の可動接点
２１ｃ  接点部
２３    収容部
２５    中央支持板
２５ａ  立ち上がり部
２６    規制突起部
４０    異物
【図１】
2007059185.tif 000003
【図２】
2007059185.tif 000004
【図３】
2007059185.tif 000005
【図４】
2007059185.tif 000006
【図５】
2007059185.tif 000007